【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
第１のターゲットデバイスにインストールされているソフトウェアにポリシールールを適用するコンピューター化された方法であって、前記ソフトウェアは、既存の一組のソフトウェアコンフィギュレーションによって設定されており、前記コンピューター化された方法は、
ポリシー権限部が、前記ソフトウェアのポリシールールを受信するターゲットデバイスのグループを指定するステップと、
前記ポリシー権限部が、前記グループに属する前記ターゲットデバイスを識別するステップであって、前記第１のターゲットデバイスが前記グループに属するとして識別される、ステップと、
前記ポリシー権限部が、前記グループの前記ターゲットデバイスに割り当てられる一組のポリシールールを識別するステップと、
前記ポリシー権限部が、前記ターゲットデバイスに割り当てられる前記一組のポリシールールを１つまたは複数のポリシードキュメントにまとめるステップと、
前記ポリシー権限部が、前記１つまたは複数のポリシードキュメントを、前記グループに属する１または複数のターゲットデバイスに送信するステップと、
前記第１のターゲットデバイスが、前記１または複数のポリシードキュメントで指定される前記一組のポリシールールを、前記第１のターゲットデバイスにインストールされている前記ソフトウェアに適用するステップと、
前記ポリシー権限部が、前記第１のターゲットデバイスからフィードバックを受信するステップであって、前記フィードバックは、前記一組のポリシールールが前記第１のターゲットデバイスにインストールされている前記ソフトウェアに適用されるかどうかを示している、ステップと、
前記第１のターゲットデバイスが、前記グループに属する前記ターゲットデバイス用に前記ポリシー権限部によって識別され、前記第１のターゲットデバイスにインストールされている前記ソフトウェアに適用される前記一組のポリシールールの変更を受信するステップであって、前記変更は、前記第１のターゲットデバイスにおける管理インターフェースを介して受信され、前記第１のターゲットデバイスにおける前記管理インターフェースは前記ポリシー権限部とは異なる、ステップと
を含むことを特徴とするコンピューター化された方法。
【請求項２】
ターゲットデバイスにインストールされているソフトウェアにポリシールールを適用するシステムであって、前記ソフトウェアは、既存の一組のソフトウェアコンフィギュレーションで設定されていて、前記システムは、
コンピューター実行可能構成要素を実行するよう構成される少なくとも１つのプロセッサーと、
前記少なくとも１つのプロセッサーに結合されたメモリと
を備え、前記メモリは、前記少なくとも１つのプロセッサーにより実行可能なコンピュータープログラム命令を有し、前記命令は、
ポリシー権限部が、前記ソフトウェアのポリシールールを受信するターゲットデバイスのグループを指定する命令と、
前記ポリシー権限部が、前記グループに属する前記ターゲットデバイスを識別する命令であって、第１のターゲットデバイスが前記グループに属するとして識別される、命令と、
前記ポリシー権限部が、前記グループの前記ターゲットデバイスに割り当てられる一組のポリシールールを識別する命令と、
前記ポリシー権限部が、前記ターゲットデバイスに割り当てられた前記一組のポリシールールを１つまたは複数のポリシードキュメントにまとめる命令と、
前記ポリシー権限部が、前記１つまたは複数のポリシードキュメントを、前記グループに属する前記１または複数のターゲットデバイスに送信する命令と、
前記第１のターゲットデバイスが、前記１または複数のポリシードキュメントで指定される前記一組のポリシールールを、前記第１のターゲットデバイスにインストールされている前記ソフトウェアに適用する命令と、
前記ポリシー権限部が、前記第１のターゲットデバイスからフィードバックを受信する命令であって、前記フィードバックは、前記一組のポリシールールが前記第１のターゲットデバイスにインストールされている前記ソフトウェアに適用されるかどうかを示している、命令と、
前記第１のターゲットデバイスが、前記グループに属する前記ターゲットデバイス用に前記ポリシー権限部によって識別され、前記第１のターゲットデバイスにインストールされている前記ソフトウェアに適用される前記一組のポリシールールの変更を受信する命令であって、前記変更は、前記第１のターゲットデバイスにおける管理インターフェースを介して受信され、前記第１のターゲットデバイスにおける前記管理インターフェースは前記ポリシー権限部とは異なる、命令と
を含むことを特徴とするシステム。
【請求項３】
ターゲットデバイスにインストールされているソフトウェアにソフトウェアコンフィギュレーションを適用するコンピューター実行可能命令を有するコンピューター読み取り可能な記録媒体であって、前記コンピューター実行可能命令は、
前記ソフトウェアのポリシールールを受信するターゲットデバイスのグループを指定し、前記グループに属している前記ターゲットデバイスを識別するポリシー権限部であって、第１のターゲットデバイスが前記グループに属するとして識別される、ポリシー権限部と、
各グループの前記ターゲットデバイスに割り当てられる一組のポリシールールを識別する関連構成要素であって、前記ターゲットデバイスに割り当てられる前記一組のポリシールールを１つまたは複数のポリシードキュメントにまとめる、関連構成要素と、
前記ポリシー権限部から前記１つまたは複数のポリシードキュメントを受信するクライアントリクエスタと、
前記受信されたポリシードキュメントによって指定される前記一組のポリシールールを、前記第１のターゲットデバイスにインストールされている前記ソフトウェアに適用する策定エンジンと、
インターフェース構成要素を介して、前記第１のターゲットデバイスから前記ポリシー権限部にフィードバックを提供するレポータであって、前記フィードバックは、前記一組のポリシールールが前記第１のターゲットデバイスにインストールされている前記ソフトウェアに適用されるかどうかを示す、レポータと、
前記受信したポリシードキュメントを前記デバイスに格納するデータストアと、
前記グループに属する前記ターゲットデバイス用に前記関連構成要素によって識別され、前記第１のターゲットデバイスにインストールされている前記ソフトウェアに適用される前記一組のポリシールールの変更を受信する前記第１のターゲットデバイスにおける管理インターフェースであって、前記変更は、前記第１のターゲットデバイスにおける管理インターフェースを介して受信され、前記第１のターゲットデバイスにおける前記管理インターフェースは前記ポリシー権限部とは異なる、管理インターフェースと
を含むことを特徴とするコンピューター読み取り可能な記録媒体。
【請求項４】
前記策定エンジンによって適用される前記一組のポリシールールに応じて前記ソフトウェアとの関係を識別する設定プロバイダを更に含むことを特徴とする請求項３に記載のコンピューター読み取り可能な記録媒体。
【請求項５】
前記ポリシールールの配信オプションの選択を受信することを含む、前記ポリシー権限部が、前記ポリシールールを受信するステップをさらに含むことを特徴とする請求項１に記載の方法。
【請求項６】
前記配信オプションの前記選択は、優先配信オプションを含み、前記方法は、前記１または複数のポリシードキュメントが利用可能であることをターゲットデバイスの前記グループに通知するステップをさらに含むことを特徴とする請求項５に記載の方法。
【請求項７】
前記命令は、前記ポリシールールの配信オプションの選択を受信することを含む、前記ポリシー権限部が、前記ポリシールールを受信する命令をさらに含むことを特徴とする請求項２に記載のシステム。
【請求項８】
前記配信オプションの前記選択は、優先配信オプションを含み、前記命令は、前記１または複数のポリシードキュメントが利用可能であることをターゲットデバイスの前記グループに通知する命令をさらに含むことを特徴とする請求項７に記載のシステム。
【請求項９】
前記設定プロバイダは、
（ａ）前記受信したポリシードキュメントの前記ポリシールールを精査し、
（ｂ）設定される前記ソフトウェアおよび前記ソフトウェアの一部の設定の位置情報を判定し、
（ｃ）ソフトウェアコンフィギュレーション値を用いて、実行可能なフォーマットで前記位置情報をドキュメントに変換する
ことを特徴とする請求項４に記載のコンピューター読み取り可能な記録媒体。
【請求項１０】
前記第１のターゲットデバイスにおける前記管理インターフェースは、前記第１のターゲットデバイスにインストールされている前記ソフトウェアのパラメータおよび関数を識別するアプリケーションプログラミングインターフェース（ＡＰＩ）を提供することを特徴とする請求項１に記載の方法。
【請求項１１】
前記第１のターゲットデバイスにおける前記管理インターフェースは、前記第１のターゲットデバイスにインストールされている前記ソフトウェアのパラメータおよび関数を識別するアプリケーションプログラミングインターフェース（ＡＰＩ）を提供することを特徴とする請求項２に記載のシステム。
【請求項１２】
前記レポータは、少なくとも１つの変更通知部を備える共通報告システムを使用してフィードバックを提供することを特徴とする請求項３に記載のコンピューター読み取り可能な記録媒体。